(57)【要約】【課題】人体の各部位、例えば足の甲や裏等を任意に指圧することができる、簡潔な構成のはさみ式指圧具を提供する。【解決手段】一対の支持体１１、１２をそれらの中間位置において支点ピン１３により互いに回動可能に連結し、一対の支持体１１、１２の基端側の部分に指掛け部１５、１６を連設するとともに、支持体１１、１２の先端側の互いに外側に湾曲する湾曲部１７、１８の先端部に弾性部材から成る押圧子２０を取付けるようにし、例えば一方の押圧子２０が足の甲を、他方の押圧子２０が足の裏を指圧するように足を上下から挟んで指圧を行なう。【選択図】図１
0003147367.tif 000002
【実用新案登録請求の範囲】
【請求項１】
中間位置において支点部材によって互い回動自在に連結された一対の支持体と、
前記一対の支持体の基端側に設けられている指掛け部と、
前記一対の支持体の先端部において互いに対向するように取付けられた押圧部材と、
を具備するはさみ式指圧具。
【請求項２】
前記押圧部材が前記支持体の先端側の湾曲部に着脱自在に取付けられていることを特徴とする請求項１に記載のはさみ式指圧具。
【請求項３】
前記押圧部材の先端側の押圧部が平坦な押圧面から構成されることを特徴とする請求項２に記載のはさみ式指圧具。
【請求項４】
前記押圧部材の先端側の押圧部が球状であることを特徴とする請求項２に記載のはさみ式指圧具。
【請求項５】
前記押圧部材の先端側の押圧部が尖った形状であることを特徴とする請求項２に記載のはさみ式押圧具。
【請求項６】
前記押圧部材が前記支持体の先端部に首振り自在であることを特徴とする請求項１に記載のはさみ式指圧具。
【請求項７】
前記押圧部が前記支持体の先端部に弾性的に支持されていることを特徴とする請求項１に記載のはさみ式指圧具。
【請求項８】
前記押圧部材が前記支持体の先端部上に成形されて取付けられていることを特徴とする請求項１に記載のはさみ式指圧具。
【請求項９】
足を押圧するものであって、一方の押圧部材が足の甲を押圧することを特徴とする請求項１に記載のはさみ式指圧具。
【考案の詳細な説明】
【技術分野】
【０００１】
本考案は、身体の各部位の指圧に用いられるはさみ式指圧具であって、とくに足を指圧するのに用いて好適なはさみ式指圧具に関する。
【背景技術】
【０００２】
長時間にわたって立ったままで作業をすると、足に溜まった血液が鬱血したり、あるいはまた筋肉が硬直したりする場合がある。また足の筋肉が異常に疲労し、これによって苦痛や不快感を伴う。このような場合に、足の指圧を行なうことによって、疲労を回復することができる。
【０００３】
このような目的のために、例えば特開平９−８４８５１号公報には、体力が衰えている場合や、天候が悪い場合にも屋内で足の甲や裏面を効果的に指圧することができるように、足の裏指圧器と、これの上方に相対するべく配置した足の甲指圧器から成り、足の裏指圧器は、ケーシング内に配列した指圧体と、指圧体の下端に当接し、ケーシング表面からの指圧体の突出量を変化させるべく、上下動させるカムを上面に形成した平面カム部材と、これを一体的に支持し、ガイドピンに案内されてケーシング内を水平方向に往復移動自在なスライドフレームおよびスライドフレームの往復移動機構とで構成し、足の甲指圧器は、足の裏指圧器に対して接離移動可能に配置されたフレームと、フレームに垂下状に配列された指圧体と、指圧体に過大な力が作用した時、フレームを足の裏指圧器から離反する方向に逃がすコイルスプリングとから構成した足指圧健康器が開示されている。
【０００４】
上述のような足指圧健康器は、足の裏のみならず足の甲をも指圧することができ、これによってとくに足の疲労の回復の効果が高い特徴を有している。ところがこのような足指圧健康器は複雑な構造を有し、設置スペースが大きく、また高価である欠点を有している。
【特許文献１】特開平９−８４８５１号公報
【特許文献２】特開２００５−２２４４２３号公報
【考案の開示】
【考案が解決しようとする課題】
【０００５】
本願考案は、人体の各部位を容易に指圧することが可能な指圧具を提供することである。
【０００６】
本願考案の別の課題は、簡単な構成でしかも効果的に人体の各部位を指圧できる指圧具を提供することである。
【０００７】
本願考案のさらに別の課題は、指圧部位のみならず指圧の力をも任意に調整できる指圧具を提供することである。
【０００８】
本願考案の別の課題は、足の裏のみならず甲をも指圧できる指圧具を提供することである。
【０００９】
本願考案のさらに別の課題は、指圧する部位に応じて押圧部の形状を変更できるようにした指圧具を提供することである。
【００１０】
本願考案の別の課題は、特別な動力を用いることなくしかも人体の所定の部位を指圧できるようにした指圧具を提供することである。
【００１１】
本願考案の上記の課題および別の課題は、以下に述べる本願考案の技術的思想およびその実施の形態によって明らかにされる。
【課題を解決するための手段】
【００１２】
本願の主要な考案は、中間位置において支点部材によって互い回動自在に連結された一対の支持体と、
前記一対の支持体の基端側に設けられている指掛け部と、
前記一対の支持体の先端部において互いに対向するように取付けられた押圧部材と、
を具備するはさみ式指圧具に関するものである。
【００１３】
ここで、前記押圧部材が前記支持体の先端側の湾曲部に着脱自在に取付けられてよい。また前記押圧部材の先端側の押圧部が平坦な押圧面から構成されてよい。また前記押圧部材の先端側の押圧部が球状であってよい。また前記押圧部材の先端側の押圧部が尖った形状であってよい。
【００１４】
また前記押圧部材が前記支持体の先端部に首振り自在であってよい。また前記押圧部が前記支持体の先端部に弾性的に支持されてよい。また前記押圧部材が前記支持体の先端部上に成形されて取付けられてよい。また足を押圧するものであって、一方の押圧部材が足の甲を押圧してよい。
【考案の効果】
【００１５】
本願の主要な考案は、中間位置において支点部材によって互い回動自在に連結された一対の支持体と、一対の支持体の基端側に設けられている指掛け部と、一対の支持体の先端部において互いに対向するように取付けられた押圧部材と、を具備するようにしたものである。
【００１６】
従ってこのようなはさみ式指圧具によると、支持体の基端側の指掛け部に指を挿入して一対の支持体を支点部材を介して互いに逆方向に回動させることによって、一対の支持体の先端側の押圧部材で人体の所定の部位を押圧することができ、これによって指圧動作が達成される。従って極めて簡潔な構成によって指圧を行なうことが可能になる。また指掛け部を通して一対の支持体に加える力を加減することによって、指圧力を任意に調整できるようになる。従って人体の各部位を適宜挟んで指圧することができる簡潔な構成の低コストの指圧具が提供されることになる。
【考案を実施するための最良の形態】
【００１７】
以下本願考案を図示の実施の形態によって説明する。図１および図２は本実施の形態のはさみ式指圧具の全体の構成を示すものであって、とくに図２に示すように、このはさみ式指圧具は、一対の互いに対称な形状の支持体１１、１２を備えている。これらの支持体１１、１２はその長さ方向の中間部において、支点ピン１３を介して互いに回動可能に連結されている。上記一対の支持体１１、１２の基端側の部分には、指挿通孔を有する指掛け部１５、１６がそれぞれ連設されている。なお指掛け部１５、１６は支持体１１、１２の基端側に一体に形成された芯金の外周側に、合成樹脂、合成ゴム等の弾性を有する材料を被覆成形して構成される。
【００１８】
また上記一対の支持体１１、１２の先端側には、互いに逆方向に離間するように湾曲する湾曲部１７、１８が連設されている。これらの湾曲部１７、１８にはそれぞれ押圧子２０が取付けられている。すなわち押圧子２０は湾曲部１７、１８の先端側の断面形状とほぼ同じ断面形状の挿入口２１を備え、このような挿入口２１に上記湾曲部１７、１８の先端部を圧入することによって、押圧子２０が湾曲部１７、１８の先端部に取付けられている。
【００１９】
押圧子２０は、ここではゴムの成形体によって構成されているが、ゴムに代えて、軟質の合成樹脂、その他各種の材料で製作することができ、場合によっては金属で作ってもよく、あるいはまた木質系の材料によって製作してもよい。すなわち押圧子２０は、押圧する部位や、加える押圧力等に応じて各種の材料で製作することが可能である。
【００２０】
押圧子２０は図３に示すように、その先端側の押圧面２６が平坦面から構成されており、図２Ａに示すように一対の支持体１１、１２を互いに閉じると、押圧面２６が互いに接するようになっている。
【００２１】
このようなはさみ式指圧具は、図１に示すように、例えば足の甲と裏を同時に指圧することができる。すなわち一対の支持体１１、１２を支点ピン１３を中心として互いに図２Ｂに示すように回動させて開き、これによって一対の押圧子２０間に足を挿入し、この状態で指掛け部１５、１６に挿入した指によって支持体１１、１２を閉じて上側の押圧子２０によって足の甲を押圧し、下側の押圧子２０によって足の裏を押圧する。すなわち足の表と裏とを同時に指圧することが可能になる。
【００２２】
このようなはさみ式指圧具は、図１および図２に示すように極めて簡潔な構造を有しており、低コストで製作することができる。また不要な場合には、引出し等に収納しておけばよく、邪魔になることもない。また使用時においても、特別なスペースを要することもない。また足の甲を刺激する場合において、その指圧力は、支持体１１、１２の指掛け部１５、１６間に挿入する指の力で調整することができ、任意の指圧力で指圧を行なうことが可能になる。またこのようなはさみ式指圧具は、必ずしも足の甲と裏の指圧のみならず、人体のその他各部位の指圧を行なうことができ、例えばこのはさみ式指圧具を手で持って、反対側の手の指圧を行なうことも可能である。その他腕や脚の部分の指圧を行なうようにしてもよい。
【００２３】
図４は押圧子の別の例を示しており、ここでは、押圧子２９がその先端側が球状面３０になっており、このような球状面３０によって人体の所定の部位を押圧できるようにしている。また押圧子２９の上端には挿入口３１が形成され、この挿入口３１によって湾曲部１７、１８の先端部を受入れるようになっている。
【００２４】
また図５は別の構成を示しており、この押圧子３３はその先端側がほぼ円錐状の押圧部３４になっており、このような尖がった押圧部３４によって指圧を行なうようにしている。なおここでも、押圧子３３には挿入口３５が設けられ、この挿入口３５によって湾曲部１７、１８の先端部に取付けられるようになっている。
【００２５】
図６に示す構成は、湾曲部１７の先端部に押圧子３９を首振り自在に取付けるようにしたものである。すなわち湾曲部１７の先端側にピボット軸３８を固着し、このピボット軸３８の先端側の球状部を押圧子３９の凹部４０内に圧入している。ここで凹部４０がほぼ半球状の凹部になっているために、ピボット軸３８との間で首振り運動が可能になり、押圧子３９は湾曲部１７に対して首振り自在に取付けられることになる。
【００２６】
図７に示す構成は、湾曲部１７の先端側の部分に押圧子４５を弾性的に支持するようにしている。すなわち湾曲部１７の先端側に凹部から成るばね保持部４３が形成され、このばね保持部４３内にコイルばね４４が収納される。そして押圧子４５の取付け軸４６が上記ばね保持部４３内に挿入され、この取付け軸４６に設けられているばね受け４７が上記コイルばね４４を受けるようになっている。従って押圧子４５は湾曲部１７から押出されるように弾性的に支持されることになる。従って指圧動作を行なう際には、取付け軸４６がコイルばね４４を押圧しながらばね保持部４３内に侵入するようになる。従って押圧子４５はコイルばね４４の弾性復元力を介して弾性的に指圧部を押圧することになる。
【００２７】
図８に示す構成は、湾曲部１７の先端側の部分に押圧子５０を成形して取付けるようにしたものである。すなわち合成ゴムあるいはプラスチックから成る押圧子５０を湾曲部１７の先端部に成形して固定するようにしている。従って、押圧子５０は湾曲部１７との間で相対運動を生ずることがなく、確実に固定されるようになる。
【００２８】
以上本願考案を図示の実施の形態によって説明したが、本願考案は上記実施の形態によって限定されることなく、本願考案の技術的思想の範囲内において各種の変更が可能である。例えば本願考案のはさみ式指圧具は、その湾曲部の湾曲の度合いや、先端部に取付けられる押圧子２０の形状等については、指圧する部位に応じて各種の形状を採用することができる。また湾曲部１７、１８の外側への湾曲の度合いに応じて、押圧子２０間の距離を調整できるために、指圧される部位の寸法に応じて各種の大きさとすることが可能である。
【産業上の利用可能性】
【００２９】
本願考案は、人体の各部位を指圧するのに用いて好適な指圧具として利用できる。
【図面の簡単な説明】
【００３０】
【図１】本願考案の一実施の形態に係るはさみ式指圧具の使用状態を示す斜視図である。
【図２】同はさみ式指圧具を閉じた状態および開いた状態の平面図である。
【図３】同はさみ式指圧具の押圧子の縦断面図および斜視図である。
【図４】別の例の押圧子の縦断面図および斜視図である。
【図５】さらに別の例の押圧子の縦断面図および斜視図である。
【図６】押圧子の取付けの別の例の要部縦断面図である。
【図７】押圧子の取付けのさらに別の例を示す要部縦断面図である。
【図８】押圧子を一体的に成形した指圧具の湾曲部の要部縦断面図である。
【符号の説明】
【００３１】
１１、１２  支持体
１３  支点ピン
１５、１６  指掛け部
１７、１８  湾曲部
２０  押圧子
２１  挿入口
２６  押圧面（平坦面）
２７  挿入口
２９  押圧子
３０  球状面
３１  挿入口
３３  押圧子
３４  円錐状押圧部
３５  挿入口
３８  ピボット軸
３９  押圧子
４０  凹部
４３  ばね保持部
４４  コイルばね
４５  押圧子
４６  取付け軸
４７  ばね受け
５０  押圧子
【図１】
0003147367.tif 000003
【図２】
0003147367.tif 000004
【図３】
0003147367.tif 000005
【図４】
0003147367.tif 000006
【図５】
0003147367.tif 000007
【図６】
0003147367.tif 000008
【図７】
0003147367.tif 000009
【図８】
0003147367.tif 000010